(57)【要約】【課題】  ネットワーク対応の電気機器に関する情報をユーザーに対して通知する際、ユーザーの趣味・嗜好を反映させた出力方法によって、ユーザーの場所や動向に応じた通知を行う。【解決手段】  家電機器２の状態に関する情報を通信ネットワーク３を通じて取得する状態取得部１１と、家電機器２の状態に関する情報と、各状態に対応する出力情報とを関連づけて記憶するデータベース部１Ａと、データベース部１Ａに記憶された各出力情報に対応づけて、出力情報の出力形態を設定し、設定をデータベース部１Ａに追記する出力設定部１０と、家電機器２の状態に関する情報に基づいて管理データベースを検索し、対応する出力情報を抽出する検索部１２と、検索部１２により抽出された出力情報を、当該出力情報に対応づけて設定された出力手段から、出力情報に対応する出力形態で出力する出力制御部１３とを有する。【選択図】  図５
2007206914.tif 000002
【特許請求の範囲】
【請求項１】
通信ネットワークに接続可能な電気機器に関する情報を提供するシステムであって、
前記電気機器の状態に関する情報を、前記通信ネットワークを通じて取得する状態取得部と、
前記電気機器の状態に関する情報と、各状態に対応する出力情報とを関連づけて記憶する管理データベースと、
前記管理データベースに記憶された各出力情報に対応づけて、該出力情報の出力形態を設定し、該設定を前記管理データベースに追記する出力設定手段と、
前記電気機器の状態に関する情報に基づいて前記管理データベースを検索し、対応する出力情報を抽出する検索部と、
前記検索部により抽出された出力情報を、当該出力情報に対応づけて設定された出力手段から、該出力情報に対応する出力形態で出力する出力制御部と
を有することを特徴とするネットワーク電気機器システム。
【請求項２】
前記出力設定手段は、
前記状態取得部で取得された前記電気機器の状態に関する情報と、当該状態に関する情報に対して前記出力情報が出力された際の出力手段及び出力形態の履歴を蓄積し、前記管理データベースを更新する更新部を備えることを特徴とする請求項１に記載のネットワーク電気機器システム。
【発明の詳細な説明】
【技術分野】
【０００１】
本発明は、ネットワーク対応家電機器及びそれを活用したネットワーク電気機器システムに関する。
【背景技術】
【０００２】
近年、ネットワークに接続可能ないわゆるネットワーク家電が提案されており、これにより、個人一般が使用するパーソナルコンピュータや、プリンタ等の情報関連機器のみならず、ネットワーク家電をも接続の対象としたホームネットワークが構築可能となる。
【０００３】
このようなネットワーク家電では、例えば、特許文献１にあるように、ホームネットワーク家電機器を監視し、その状態に応じてメッセージを作成し、ユーザーに対して電子メールや電話、ＦＡＸ、合成音で通知することによって、ユーザーが対象の家電機器の情報を容易に知ることができるという提案がされている。このような特許文献１に開示された技術によれば、例えば、ゴミ箱や、熱帯魚等の状態を監視し、ゴミの量や水槽の汚れ具合等の家電機器の状態に応じて、ゴミを捨てるべきである旨や、ガスの水槽の水を取り替えるべきである旨をアドバイスしたり、水道や電気、ガスの使用状況を監視し、その使用状況に基づいて水道や電気等を節約すべき旨をアドバイスすることが可能となる。
【特許文献１】特開２０００−３５７１４６号公報
【発明の開示】
【発明が解決しようとする課題】
【０００４】
しかしながら、上記の特許文献１に開示されたシステムでは、ユーザーに状態を通知する出力手段が出力手段が電子メールや電話等に限定されており、また、一方的な通知であることから、ユーザーの場所や動向に応じた通知を行うことができず、また、１種類の検出に対して出力が１種類のみであり、その出力タイミングも設定できないことから、ユーザーの趣味・嗜好を反映させて、多様なニーズに応じて充実したサービスの提供ができないという問題があった。
【０００５】
そこで、本発明は以上の点に鑑みてなされたもので、ネットワーク対応の電気機器に関する情報をユーザーに対して通知する際、ユーザーの趣味・嗜好を反映させた出力方法によって、ユーザーの場所や動向に応じた通知を行うことができるネットワーク電気機器システムを提供することをその課題とする。
【課題を解決するための手段】
【０００６】
上記課題を解決するために、本発明は、通信ネットワークに接続可能な電気機器に関する情報を提供するシステムであって、電気機器の状態に関する情報を、通信ネットワークを通じて取得する状態取得部と、電気機器の状態に関する情報と、各状態に対応する出力情報とを関連づけて記憶する管理データベースと、管理データベースに記憶された各出力情報に対応づけて、出力情報の出力形態を設定し、設定を管理データベースに追記する出力設定手段と、電気機器の状態に関する情報に基づいて管理データベースを検索し、対応する出力情報を抽出する検索部と、検索部により抽出された出力情報を、当該出力情報に対応づけて設定された出力手段から、出力情報に対応する出力形態で出力する出力制御部とを有する。
【０００７】
このような本発明によれば、各ネットワーク電気機器の状態に関する情報（状態パラメータ）を状態取得部において集中的に収集し、各ネットワーク電気機器の状態パラメータに応じた、又は各状態パラメータの組み合わせに応じた出力情報を管理データベースから抽出して出力する。この出力は、ユーザーが設定した任意の出力手段から、任意のタイミングで行うことができるため、ユーザーの場所や動向に応じた通知をすることができる。
【０００８】
上記発明において、出力設定手段は、状態取得部で取得された電気機器の状態に関する情報と、当該状態に関する情報に対して出力情報が出力された際の出力手段及び出力形態の履歴を蓄積し、管理データベースを更新する更新部を備えることが好ましい。この場合には、どのような状態のときに、どのような出力情報をいずれの出力手段からいずれのタイミングでユーザーに対して通知したかの傾向を分析することが可能となり、より精密にユーザーの趣味・嗜好を反映させた出力情報の通知を行うことができる。
【発明の効果】
【０００９】
以上説明したように本発明によれば、ネットワーク対応の電気機器に関する情報をユーザーに対して通知する際、ユーザーの趣味・嗜好を反映させた出力方法によって、ユーザーの場所や動向に応じた通知を行うことができ、従来のシステムでは得られない、ユーザーと家電機器との親密なコミュニケーションを実現することができ、ユーザーの多様なニーズに応えられる娯楽性の高いサービスを提供することができる。
【発明を実施するための最良の形態】
【００１０】
（ネットワーク電気機器システムの構成）
本発明の実施形態について、図面を参照しつつ説明する。図１は、本実施形態に係るネットワーク電気機器システムの概略構成を模式的に示す説明図である。
【００１１】
ネットワーク電気機器システムは、情報変換装置１に接続された通信ネットワーク３を介して、多数の家電機器２（２Ａ：照明、２Ｂ：玄関ドア、２Ｃ：テレビ、２Ｄ：ゲーム機、２Ｅ：ＰＣ、２Ｆ：オーディオコンポ、２Ｇ：ＤＶＤプレーヤ、２Ｈ：ＶＣＲ、２１：洗濯機、２Ｊ：冷蔵庫、２Ｋ：電子レンジ、２Ｌ：エアコン、２Ｍ：時計等）が接続されている。なお、家電機器２は、図１に上げたものが全てではなく、必要に応じて家庭内におけるあらゆる電気機器が対象とすることができる。
【００１２】
通信ネットワーク３は、通信プロトコルＴＣＰ／ＩＰを用いて種々の通信回線（電話回線やＩＳＤＮ回線、ＡＤＳＬ回線などの公衆回線、専用回線、無線通信網）を相互に接続して構築される分散型の家庭内ネットワークであり、１０ＢＡＳＥ−Ｔや１００ＢＡＳＥ−ＴＸ等によるＬＡＮの他、ＰＬＣ（Ｐｏｗｅｒ  Ｌｉｎｅ  Ｃｏｍｍｕｎｉｃａｔｉｏｎ：電力線搬送通信）を使用してもよい。
【００１３】
図２は、本発明の情報変換装置１の概略構成を示す説明図であり、図５は、ＣＰＵ部１Ｅ上に構築される機能モジュールを示すブロック図である。
【００１４】
図２に示すように、情報変換装置１は、通信ネットワーク３に接続するための通信インターフェース１Ｄと、操作部１Ｃと、ドライブ部１Ｂと、データベース部１Ａ  と、演算処理を行うＣＰＵ部１Ｅとを備えている。
【００１５】
通信インターフェース１Ｄは、通信ネットワーク３やインターネット４に接続するためのインターフェースであり、他の家電機器２と通信するためのＬＡＮインターフェースや、赤外線等の無線通信インターフェース、インターネット４に接続するためのモデム機能等が含まれている。
【００１６】
操作部１Ｃは、操作スイッチやボタン、表示ディスプレイ等から構成されるユーザーインターフェースであり、ユーザー操作に基づく操作信号を装置に入力したり、表示用信号の出力手段である表示ディスプレイに、ユーザー操作で必要な情報を表示する。この操作部１Ｃでの操作によって、情報変換装置１やシステム全体の制御を行うことができる。特に、この操作部１Ｃは、データベース部１Ａに記憶された各出力情報に対応づけて、各出力情報についての出力形態を設定し、設定を管理データベースに追記する出力設定手段としての機能の一端を果たす。
【００１７】
データベース部１Ａ  は、ハードディスクなどの記憶装置であり、各種データの他、各ソフトウェアが格納されており、ＣＰＵ１Ｅによる制御に応じて、必要なデータを読み出したり、書き込んだりする。特に、このデータベース部１Ａは、本実施形態では、各電気機器の状態に関する情報と、各状態に対応する出力情報とを関連づけて記憶する管理データベースの機能も果たしており、具体的には、現在通信ネットワーク３に接続されて通信可能状態にある検出対象となる機器（被検機器）のリストである被検機器リストＴ１と、ユーザーが選択した被検機器についての出力情報に関するユーザー設定及びデフォルト設定が記述されるユーザー設定Ｔ２及びデフォルト設定Ｔ３とが格納されている。また、データベース部１Ａには、実際に出力される出力情報であるコンテンツデータＤ１や、実際に出力された出力情報の出力履歴データＤ２なども格納されている。
【００１８】
被検機器リストＴ１には、通信ネットワーク３に接続され、通信可能な機器のＩＤや、その機器の属性（入力属性、出力属性）及び状態がリストとして記録されている。この機器の入力属性としては、当該被検機器から入力される検出信号の種別や物理量であり、照明器具やテレビ等であればそのオン・オフ状態、ドアであればその開閉状態、時計であれば時刻情報、エアコンや冷蔵庫等の家電であれば駆動状態（電源オン・オフ、設定温度等）などが挙げられる。一方、出力属性とは、機器が出力機能を備えている場合に、その出力インターフェースの種別であり、テレビやパーソナルコンピュータ等の表示画面を有する機器であれば音声や画面に表示される映像、文字情報であり、照明器具であれば、照明の点灯制御、エアコンや冷蔵庫等であれば駆動状態の切替（電源のオン・オフ、設定温度の変更）制御などが挙げられる。
【００１９】
ユーザー設定Ｔ２やデフォルト設定Ｔ３は、出力情報を出力するための条件などを設定するテーブルデータであり、いずれの機器からどのような検出信号が取得されたときに、どのような出力情報（出力コンテンツ）をどの機器から、どのような形態及びタイミングで出力するかを設定することができるようになっている。この出力情報の設定では、例えば、複数の機器からの検出信号の組み合わせによって条件を決めることができる。例えば、時計からの時刻情報と、照明のオン・オフ、エアコンの設定温度などの組み合わせによって、出力するコンテンツを切り替えるように設定することができる。出力形態としては、例えば、出力情報がテキスト表示の場合、表現やテキストの書体、色、大きさ等も設定することができる。
【００２０】
なお、データベース部１Ａに格納されるテーブルデータやソフトウェア、コンテンツは、図３に示すように、通信ネットワーク３やインターネット４を通じてインターネット４上にあるサーバ６から、自動的あるいはユーザーの要求に応じて更新することができ、また、インターネット４以外に、テープ媒体７、ディスク媒体８、固体メモリ媒体９などのメディアからもドライブ部１Ｂ等を通じて更新可能となっている。
【００２１】
ＣＰＵ部１Ｅは、データベース部１Ａに格納されているソフトウェアを呼び出して実行することにより、各種の機能モジュールを仮想的に構築する演算処理装置である。具体的には、図５に示すように、ＣＰＵ１Ｅ上には、出力設定部１０と、状態取得部１１と、検索部１２と、出力制御部１３と、設定更新部１４とが構築される。
【００２２】
出力設定部１０は、ユーザー設定Ｔ２に記述される出力条件や、出力形態、出力機器、出力コンテンツを、ユーザー操作に基づいて設定するモジュールである。具体的には、被検機器リストＴ１を読み出して、現在通信ネットワーク３に接続され、通信可能となっている機器の一覧を表示用情報として操作部１Ｃに送出し、操作部１Ｃにおけるユーザー操作に基づく操作情報を取得して、ユーザー設定Ｔ２を書き換える。例えば、家電機器２を情報変換装置１に接続すると図４（ａ）に示すように、被検機器リストが、接続機器一覧としてディスプレイなどに表示される。ユーザーは、操作部１Ｃの操作スイッチやボタンを操作し、これら接続機器の中で自分が操作対象とする被検機器を選択する。図４（ｂ）では、黒で塗りつぶされた玄関ドア、時計が選択されている。これにより、玄関ドアと時計からの検出情報の組み合わせを出力条件としてユーザー設定Ｔ２に設定される。次に、ユーザーは、出力機器を選択する。図４（ｃ）では、テレビが出力機器として選択されている。同様に、図４（ｄ）、図４（ｅ）に示すように、出力形態及び出力時間を選択・設定することができる。
【００２３】
状態取得部１１は、各被検機器の状態に関する情報（検出信号）を、通信ネットワーク３を通じて取得するモジュールである。具体的には、通信ネットワーク３上に分散配置された各機器に対して定期的に応答要求信号を発信し、それに応じて応答のあった機器から、その機器の機器ＩＤや入力属性、出力属性、及び現在の状態を取得し、被検機器リストＴ１の更新を行う。
【００２４】
検索部１２は、各被検機器の検出情報に基づいてデータベース部１Ａを検索し、対応する出力情報を抽出するモジュールである。具体的には、状態取得部１１が取得した各機器の検出信号の組み合わせに基づいて、ユーザー設定Ｔ２及びデフォルト設定Ｔ３を照合し、合致する出力条件を検出して、対応する出力情報、その出力形態、出力機器を読み出し、これらのデータを出力制御部１３に送出する。なお、この検索部１２は、出力情報の抽出に際し、先ず、ユーザー設定Ｔ２を検索し、ユーザー設定Ｔ２に合致する条件がない場合に、デフォルト設定Ｔ３を検索し、優先的にユーザー設定Ｔ２が反映されるようになっている。
【００２５】
出力制御部１３は、検索部１２により抽出された出力情報を、当該出力情報に対応づけて設定された出力機器から、出力情報に対応する出力形態で出力するモジュールである。具体的には、検索部１２による検索結果に含まれるコンテンツＩＤによってコンテンツデータＤ１を特定し、検索結果に基づく出力形態に変換した後、検索結果で特定される機器に対して送出する。
【００２６】
設定更新部１４は、状態取得部１１で取得された検出情報と、当該検出情報に対してどの出力情報が出力されたか、その際の出力手段及び出力形態等の出力履歴データＤ２を蓄積し、この蓄積された出力履歴を解析して、ユーザーの動向を判定し、その判定結果を反映すべくデータベース部１Ａを更新するモジュールである。この履歴を反映させたデータベース部１Ａの更新としては、例えば、ユーザーが同一傾向の趣向を示す場合には、同様のパターンの出力情報を選択するようにしたり、その反対に、出力情報の出力がワンパターン化しないように、前回出力した出力情報の優先度を下げ、未だ出力されていないコンテンツを優先的に出力するようにしてもよい。
【００２７】
（ネットワーク電気機器システムの動作）
（１）動作例１
上述した構成を有するネットワーク電気機器システムの動作について説明する。図６は、動作例１を示す説明図である。
【００２８】
ここでは、玄関ドア２Ｂ及び時計２Ｍが被検機器として選択されており、玄関ドア２Ｂが開閉されたという検出情報と、時計２Ｍからの現在時刻という検出情報の組み合わせが出力条件として設定され、時刻の条件としては、午後１０時以降の情報を有効にするという設定となっている。また、出力機器は、テレビ２Ｃが選択されており、その出力情報は、テキストデータであり、その出力形態は、テレビ２Ｃの画面でのテキスト表示である。
【００２９】
そして、状態取得部１１では、玄関ドア２Ｂ及び時計２Ｍに対して、定期的に応答要求信号を発信し、それに応じた検出情報を監視する。ユーザーが午後１０時以降に帰宅した場合、玄関ドア２Ｂが開けられたことが検出され、その時刻が午後１０時以降であったとき、ユーザー設定Ｔ２及びデフォルト設定Ｔ３における出力条件が合致し、その条件に関連づけられた情報が読み出される。
【００３０】
テレビ２Ｃにテキスト表示するときのデータを「お帰りなさい。遅くまでご苦労様です。・・・時計より」という設定にする。また、午前０時以降に帰宅した場合に「お帰りなさい。こんな時間まで本当にお疲れさま。・・・時計より」と設定したり、さらに、エアコン２Ｌを被検機器に選択した場合、「お帰りなさい。今日は暑かったでしょう。・・・エアコンより」という設定とし、出力情報として、エアコンによる冷房開始を設定する。
【００３１】
（２）動作例２
図７は、本実施形態に係る動作例２を示す説明図である。ここでは、出力履歴Ｄ２を反映させて、デフォルト設定Ｔ３を更新する場合を例に説明する。なお、この例では、設定更新部１４について、ユーザーにより、なるべく出力コンテンツがワンパターン化しないように設定されているものとする。設定更新部１４は、昨日、コンテンツが出力された時点で、既に使用された当該コンテンツを避けて、他のコンテンツのＩＤをユーザー設定Ｔ２又はデフォルト設定Ｔ３に記述している。
【００３２】
そして、上述した動作１に続いて、翌日も午後１０時以降にユーザーが帰宅した場合、帰宅情報が玄関ドア２Ｂと時計２Ｍで検出される。ユーザー設定Ｔ２及びデフォルト設定Ｔ３では、昨日の出力情報の履歴が反映されていることから、検索部１２は、昨日とは違った出力情報がデータベース部１Ａ内から選択され、テレビ２Ｃから図７（ａ）のように表示される。
【００３３】
さらに、翌日、午後８時に帰宅した場合、この検出情報は通常ならば、ユーザーが設定した出力条件である「午後１０時以降の情報を有効とする」というルールによって棄却されるが、データベース部１Ａ内に記録されている前々日及び前日の検出情報、出力情報が反映されているデフォルト設定Ｔ３が照合され有効と判断されて、図７（ｂ）に示すようにテレビ２Ｃからメッセージが表示される。なお、デフォルト設定Ｔ３を優先させるか否かについては、ユーザーが任意に設定することができる。
【００３４】
（３）動作例３
図８は、本実施形態に係る動作例３を示す説明図である。エアコン２Ｌからの検出情報が、情報変換装置１を経て、テレビ２Ｃに図８（ａ）のように表示される。ユーザーがこの出力情報に応答し、フィルター清掃を行うと、検出及び出力情報の履歴（フィルターが汚れている）と新たな検出情報（フィルターがきれい）を基に、図８（ｂ）のように表示される。この場合も、履歴との照合がなければ、フィルターはきれいな状態なので何も出力されない。
【００３５】
（４）動作例４
図９は、本実施形態に係る動作例４を示す説明図である。ここでは、被検機器として玄関ドア２Ｂ、エアコン２Ｌ、時計２Ｍが選択されている。ユーザーが最高気温３０℃を越える日に、午後１０時以降に帰宅した場合、遅い帰宅と気温が高いという物理情報を組み合わせて、図９のように、文章や発信元が時計とエアコンが組み合わされた表現となるように出力させる。図９では、ユーザーがテレビ２Ｃにテキストと動画を表示させるように設定した場合を示しており、メッセージとともに涼感効果の高い動画像が表示されている。
【００３６】
（ネットワーク電気機器システムによる効果）
このような本実施形態に係るネットワーク電気機器システムによれば、各家電機器２の検出情報を状態取得部１１において集中的に収集し、各家電機器２の検出情報の組み合わせに応じた出力情報を抽出して出力するため、ユーザーが設定した任意の出力手段から、任意のタイミングで行うことができ、ユーザーの場所や動向に応じた通知をすることができる。
【００３７】
また、本実施形態では、出力情報が出力された際の出力手段及び出力形態の履歴を蓄積し、データベース部１Ａを更新するため、どのような状態のときに、どのような出力情報をいずれの出力手段からいずれのタイミングでユーザーに対して通知したかの傾向を分析することが可能となり、より精密にユーザーの趣味・嗜好を反映させた出力情報の通知を行うことができる。
【００３８】
これらの結果、本実施形態によれば、ネットワーク対応の電気機器に関する情報をユーザーに対して通知する際、ユーザーの趣味・嗜好を反映させた出力方法によって、ユーザーの場所や動向に応じた通知を行うことができ、従来のシステムでは得られない、ユーザーと家電機器との親密なコミュニケーションを実現することができ、ユーザーの多様なニーズに応えられる娯楽性の高いサービスを提供することができる。
【図面の簡単な説明】
【００３９】
【図１】実施形態に係るネットワーク電気機器システムの概略構成を模式的に示す説明図である。
【図２】実施形態に係る情報変換装置１の概略構成を示す説明図である。
【図３】実施形態に係る情報変換装置１へのデータの更新方法を示す説明図である。
【図４】実施形態に係る操作部に表示される出力情報を示す説明図である。
【図５】実施形態に係るＣＰＵ部１Ｅ上に構築される機能モジュールを示すブロック図である。
【図６】実施形態に係る動作例１を示す説明図である。
【図７】実施形態に係る動作例２を示す説明図である。
【図８】実施形態に係る動作例３を示す説明図である。
【図９】実施形態に係る動作例４を示す説明図である。
【符号の説明】
【００４０】
Ｄ１…コンテンツデータ
Ｄ２…出力履歴データ
Ｔ１…被検機器リスト
Ｔ２…ユーザー設定
Ｔ３…デフォルト設定
１…情報変換装置
１Ａ…データベース部
１Ｂ…ドライブ部
１Ｃ…操作部
１Ｄ…通信インターフェース
１Ｅ…ＣＰＵ部
２（２Ｂ〜２Ｍ）…家電機器
３…通信ネットワーク
４…インターネット
６…サーバ
７…テープ媒体
８…ディスク媒体
９…固体メモリ媒体
１０…出力設定部
１１…状態取得部
１２…検索部
１３…出力制御部
１４…設定更新部
【図４】
2007206914.tif 000003
【図５】
2007206914.tif 000004
【図６】
2007206914.tif 000005
【図７】
2007206914.tif 000006
【図１】
2007206914.tif 000007
【図２】
2007206914.tif 000008
【図３】
2007206914.tif 000009
【図８】
2007206914.tif 000010
【図９】
2007206914.tif 000011